(57)【要約】【課題】可動式のカバーを取り付ける際に、カバーを支持するばねの配設スペースを抑えて、小型、薄型化を図る。【解決手段】凹部２ａが形成されたハウジング２と、凹部２ａに配された複数条の接点３と、凹部２ａ内に配され、凹部２ａの開放面を閉塞するカバー部材５とを備える。そして、上記カバー部材５は、相対向する側端部近傍が、それぞれ別個の略Ｕ字状に折曲されたベローズばね６ａ、６ｂにより凹部２ａの開放面側に付勢して支持され、凹部２ａ内において開放面側から底面側に亘って摺動自在に配されている。【選択図】  図３
2004296295.tif 000002
【特許請求の範囲】
【請求項１】
凹部が形成されたハウジングと、
上記凹部に配された複数条の接点と、
上記凹部内に配され、該凹部の開放面を閉塞するカバー部材とを備え、
上記カバー部材は、略Ｕ字状に折曲されたベローズばねで上記凹部の開放面側に付勢して支持され、上記凹部内において開放面側から底面側に亘って摺動自在に配されることを特徴とするコネクタ。
【請求項２】
上記ベローズばねは、上記カバー部材の相対向する側端部近傍をそれぞれ支持するよう２本配され、
一方のベローズばねは、一端側が上記凹部の底面側に、他端側が上記凹部の開放面側に位置するよう横向きに配されるとともに、他端部が上記凹部側に折曲され、該折曲部にて上記カバー部材の一の側端部近傍を支持し、
他方のベローズばねは、上記一方のベローズばねと逆向きに配されるとともに、他端部が上記凹部側に折曲され、該折曲部にて上記カバー部材の他の側端部近傍を支持することを特徴とする請求項１記載のコネクタ。
【請求項３】
凹部が形成されたハウジングと、
上記凹部に配された複数条の接点と、
上記凹部内に設けられ、該凹部の開放面を閉塞するカバー部材とを備え、
上記カバー部材は、プレスばねにより上記凹部の開放面側に付勢して支持され、上記凹部内において開放面側から底面側に亘って摺動自在に設けられることを特徴とするコネクタ。
【発明の詳細な説明】
【０００１】
【発明の属する技術分野】
本発明は、ＡＶ（Ａｕｄｉｏ  Ｖｉｓｕａｌ）機器等の電子機器間の接続用に用いられるコネクタに関し、さらに詳しくはゴミの付着や傷つき等から接点を保護するためのカバーを有するコネクタに関する。
【０００２】
【従来の技術】
電子機器管の接続に使用されるコネクタには、電気的に接続される接点部分をゴミの付着や傷つき等から保護するために、非接続状態においては上記接点部分を外部から遮蔽するカバーが設けられているものが従来から知られている。このカバー付きのコネクタは、例えば図６（ａ）に示すような雌雄嵌合タイプの雌型のコネクタ５１においては、図示を省略する雄型コネクタの接点が配された凸部が嵌合されるとともに、上記コネクタ５１側の接点５２が配されるハウジング５３の凹部５３ａの開放面を閉塞するようにカバー部材５４が取り付けられている。このカバー部材５４は、非接続状態では上記凹部５３ａの開放面を閉塞しているが、接続時には凹部５３ａ内に嵌合される雄型コネクタの凸部に押し込まれ接点５２を露出させる。そして、このように露出した接点５２と雄型コネクタの接点とが電気的な接続を得る構造となっている。
【０００３】
上述したコネクタ５１は、雄型コネクタを外した際に、再びカバー部材５４が凹部５３ａの開放面を閉塞する位置まで復帰動作するよう構成されている（例えば、下記特許文献１参照）。コネクタ５１では、カバー部材５４を、図６（ｂ）に示すトーションばね５５にて支持している。このように、カバー部材５４は、雄型コネクタが外されて押圧から解放されると、上記トーションばね５５の付勢力によって元の位置に戻り、凹部５２ａの開放面を閉塞する。このようなカバー部材５４を元の位置に戻すためのばねとしては、上述したトーションばね５５以外にコイルバネが従来から用いられている。
【０００４】
【特許文献１】
特開平１０−１８９１３２号公報
【０００５】
【発明が解決しようとする課題】
しかしながら、上述したトーションばね５５は、ばね線がその略中央部にて一回巻回されており、したがって従来のコネクタ５１にあっては、カバー部材５４を支持するトーションばね５５を配した場合に、同図（ａ）に示すように、巻回されてばね線が２重になっている分だけ厚み方向の寸法が増加してしまう。このため、コネクタ５１では、上記トーションばね５５の厚みの分だけ搭載面積が大きくなってしまうという問題がある。
【０００６】
そこで、本発明は、可動式のカバーを取り付けた場合でも小型、薄型化を図り得るコネクタを提供することを目的とする。
【０００７】
【課題を解決するための手段】
上述した目的を達成する本発明に係るコネクタは、凹部が形成されたハウジングと、上記凹部に配された複数条の接点と、上記凹部内に設けられ、該凹部の開放面を閉塞するカバー部材とを備える。そして、カバー部材は、略Ｕ字状に折曲されたベローズばねで上記凹部の開放面側に付勢して支持され、上記凹部内において開放面側から底面側に亘って摺動自在に配される。
【０００８】
また、本発明は、上記ベローズばねに代えて、プレスばねにより上記カバー部材を支持するものでも良い。
【０００９】
上述した構成を有するコネクタは、略Ｕ字状に折曲されたベローズばね等を配してカバー部材を支持するため、コネクタ内において１本のばね線径分のスペースがあれば足りる。したがって、本発明によれば、従来の如きコイルバネやトーションばねを使用した場合に比して、厚み方向の寸法が薄くなり、コネクタ全体として小型化、薄型化を図ることが可能となる。
【００１０】
【発明の実施の形態】
以下、本発明の具体的な実施の形態について図面を参照しながら詳細に説明する。
【００１１】
コネクタ１は、図１に示すように、雌雄嵌合タイプのコネクタの雌型コネクタであり、ハウジング２に形成された凹部２ａの側面に接点３が設けられている。
【００１２】
ハウジング２は、合成樹脂等により成形されてなり、その表面が例えば銅合金にニッケルめっきが施されてなるシールドケース４により覆われている。
【００１３】
接点３は、細長い板状の導電性部材、例えば銅合金からなり、上記ハウジングに形成された凹部２ａの長手方向の側面に複数条設けられている。
【００１４】
上述したコネクタ１には、接点３が設けられた凹部２ａに、その開放面を閉塞するカバー部材５が配されている。このカバー部材５は、雄型コネクタ（図示は省略）の非接続状態において、凹部２ａに設けられた接点３を外部から遮断し、ゴミや異物の侵入、接触、傷つき等から接点３を保護するものである。カバー部材５は、その長手方向の寸法が上記凹部２ａの開放面の長手方向の寸法よりも長く形成された平板形状を呈し、合成樹脂、例えばポリフェニレンサルファイド（ＰＰＳ）樹脂等により成形されている。
【００１５】
このカバー部材５は、図２及び図３に示すように、２本のベローズばね６ａ、６ｂ（以下、特に区別しない場合には単にベローズばね６と称して説明する。）により支持され、上記凹部内において上下方向、具体的には開放面側から底面側に亘って摺動自在に設けられている。ベローズばね６は、丸棒状のばね線を略Ｕ字状に折曲したものであり、図２に示すように、一端側が凹部２ａの底面側に、他端側が凹部２ａの開放面側に位置するよう横向きにコネクタ１に配されている。図２においては、一方のベローズばね６ａの配置状態のみを図示しているが、他方のベローズばね６ｂは、ベローズばね６ａとは逆向きに、すなわち両端部がベローズばね６ａと逆方向を向くように横向きに配される。そして、図３に示すように、ベローズばね６は、凹部２ａの開放面側に位置する他端側の端部が内側方向に折曲されており、ベローズばね６ａの折曲部にてカバー部材５の長手方向の一方の側端部近傍を、ベローズ６ｂの折曲部にてカバー部材５の他方の側端部近傍を支持している。このベローズばね６は、カバー部材５に外力が加わらない場合、例えば後述するような雄型コネクタとの非接続状態においては、カバー部材５を凹部２ａの開放面側に付勢し、該凹部２ａの開放面を閉塞する位置に保持する。なお、カバー部材５は、上述したように凹部２ａに比して長手方向の寸法が長く形成されているため、このようにベローズばね６により付勢されていても、両側端部近傍がハウジング２に当接して係止されるため、開放面を閉塞する位置が保持される。
【００１６】
上述した構成のコネクタ１は、雄型コネクタが嵌合された場合、すなわち雄型コネクタとの接続状態においては、図４に示すように、雄型コネクタに押圧されることによってベローズばね６が撓んでカバー部材５が摺動し、凹部２ａの底面まで押し込まれる。この状態にて、コネクタ１の接点３は露出し、雄型コネクタの接点と電気的に接続される。
【００１７】
また、コネクタ１は、雄型コネクタが外された場合、すなわち再び非接続状態に戻った際には、ベローズばね６の付勢力により、カバー部材５が元の位置まで押し戻され、凹部２ａの開放面が再び閉塞される。
【００１８】
このようなコネクタ１にあっては、接続時に凹部２ａの底面まで押し込まれたカバー部材５を非接続状態となったときに再び元の位置まで押し戻すために、上述したベローズばね６を使用している。このため、コネクタ１では、上記ベローズばね６を配するために、図５に示すように、片側につき１本のばね線径分のスペースがあれば足り、従来の如きコイルバネやトーションばねを使用した場合に比してばねの配設スペースが小さく抑えられ、厚み方向の寸法を薄くすることができる。このため、コネクタ１は、小型化、薄型化を図ることができるようになり、基板上における搭載面積も小さく抑えることができるようになる。
【００１９】
なお、上述した実施の形態にあっては、カバー部材５を支持するためにベローズばね６を使用しているが、本発明はこのような構成に限定されるものではなく、上記ベローズばね以外にも、例えばプレスばねを使用しても良い。
【００２０】
【発明の効果】
以上、詳細に説明したように発明に係るコネクタによれば、略Ｕ字状に折曲されたベローズばね等を配してカバー部材を支持するため、コネクタ内において１本のばね線径分のスペースがあれば足り、従来の如きコイルバネやトーションばねを使用した場合に比してばねの配設スペースが小さく抑えられ、厚み方向の寸法を薄くすることができる。したがって、コネクタ全体として小型化、薄型化を図ることができるようになり、また、基板上における搭載面積も小さく抑えることができるようになる。
【図面の簡単な説明】
【図１】本発明に係るコネクタの平面図である。
【図２】同コネクタの側面図であり、一方のベローズばねの配設状態を説明するための図である。
【図３】同コネクタの要部平面図であり、ベローズばねによるカバー部材の支持状態を説明するための図である。
【図４】同コネクタの縦断面図であり、カバー部材が押し込まれた状態を示す図である。
【図５】同コネクタのシールドケースを外した状態における平面図である。
【図６】（ａ）は従来のコネクタの平面図であり、（ｂ）は同コネクタの側面図であり、特にカバー部材を支持するトーションばねの配設状態を説明するための図である。
【符号の説明】
１        コネクタ
２        ハウジング
２ａ      凹部
３        接点
４        シールドケース
５        カバー部材
６        ベローズばね
【図１】
2004296295.tif 000003
【図２】
2004296295.tif 000004
【図３】
2004296295.tif 000005
【図４】
2004296295.tif 000006
【図５】
2004296295.tif 000007
【図６】
2004296295.tif 000008
【手続補正書】
【提出日】平成15年4月24日(2003.4.24)
【手続補正１】
【補正対象書類名】図面
【補正対象項目名】全図
【補正方法】変更
【補正の内容】
【図１】
2004296295.tif 000009
【図２】
2004296295.tif 000010
【図３】
2004296295.tif 000011
【図４】
2004296295.tif 000012
【図５】
2004296295.tif 000013
【図６】
2004296295.tif 000014